(57)【特許請求の範囲】
【請求項１】
ヘアーアイロンと熱伝播補助具としてクリップを使用してなるアイロンパーマ方法であって、
該ヘアーアイロンは、ヒーターを内蔵した円筒形又は多角形のアイロン棒と温度切換スイッチを設けたハンドルからなり、
該クリップは内面片側が熱伝導の良いクリップ伝熱板、内面対面側が耐熱性弾性体及びそれらを覆う熱絶縁被覆材からなり、
該クリップ伝熱板は、一定領域の毛髪を揃え易いよう櫛状に形成してあり、熱伝導の良い金属板から形成されていて、
該ヘアーアイロンと該クリップを使用して熱カールを行うことを特徴とするアイロンパーマ方法。
【請求項２】
前記ヘアーアイロンを使用し、毛髪の根元付近から一定域の毛髪を揃え、円筒形又は多角形の前記アイロン棒に巻きつけながら該毛髪をクリップで挟み、次いで該毛髪を前記クリップと該アイロン棒の間に挟み込みながら該クリップを回転して該アイロン棒の外周に該毛髪を巻付け、該クリップによる巻き込みを該アイロン棒の先端方向に進め、前記の巻き込みの間に該毛髪の熱カールを行い、該一連の処理を繰り返して、必要域の毛髪の熱カールを行うことを特徴とする請求項１に記載のアイロンパーマ方法。
【請求項３】
前記クリップによる巻き込みは、クリップ外周に設けた開閉摘みを利用したクリップの開閉によることを特徴とする請求項１又は２に記載のアイロンパーマ方法。
【請求項４】
前記クリップ外周には、前記開閉摘みに加えて補助開閉摘みを設けたことを特徴とする請求項１〜３のいずれかに記載のアイロンパーマ方法。
【請求項５】
前記クリップは、クリップ外周に設けた開閉摘みによって前記ヘアーアイロンの置台として使用できることを特徴とする請求項１〜４のいずれかに記載のアイロンパーマ方法。
【請求項６】
頭部の必要域の毛髪に対して、順次、シャンプー、１剤塗布、放置、水洗中和、アイロン処理、２剤塗布、放置、水洗、仕上げの各処理を施すことを特徴とする請求項１〜５のいずれかに記載のアイロンパーマ方法。
【発明の詳細な説明】
【技術分野】
【０００１】
本発明は、パーマを掛けるときに、ヘアーアイロンとクリップを使用することにより、効率的に、迅速にパーマ処理ができるアイロンパーマ方法に関する。
【背景技術】
【０００２】
従来、毛髪のパーマ処理法は、コールドパーマ法（非特許文献１）、加熱パーマ法（特許文献２、特許文献３）が代表的なものとして知られている。
例えば、コールドパーマ法は、頭部全域の毛髪を対象として、シャンプーし、顧客のお好みのヘアースタイルに合わせて、例えば図８に示すように一定域の毛髪毎にロット巻き（通常、数十個所のロット巻きの完了までに２０〜５０分要する）し、１剤をロット部の毛髪に万遍なく行き渡るように塗布し、チオグリコール酸（塩類）やシステイン（塩類）等の“１剤”（還元剤）の塗布後、１０〜２０分放置して１剤の毛髪への浸透を図った後、ロット巻きした状態で毛髪の１剤を丹念に洗い、中和処理し、毛髪の水分をふき取った後、臭素酸又は過硼素酸（又は塩類）又は過酸化水素等の“２剤”（酸化剤）を十分に塗布し、放置するが、この放置時間は２剤の成分によって５〜２０分と異なる。しかる後、ロットを外し、水洗し、乾燥して仕上げる。この方法では、一般的には所用時間は図１２のフロー図に示すように合計で９０〜１２０分程度要するのが普通である。時間の多くは、ロット巻き、１剤及び２剤という２種の液の塗布、放置の時間であり、しかも１剤及び２剤の薬剤のために毛髪に損傷を与えやすく、毛髪を乾かした段階では、折角のカール状態が伸びてしまうコールドパーマ特有の問題点があった。
【０００３】
また、加熱パーマ法は、図１３の従来の加熱パーマ法の工程図に示すように、シャンプーし、１剤を塗布した後に、１０〜２０分放置して１剤の毛髪への浸透を図った後に、水洗し、顧客のお好みのヘアースタイルに合わせて頭部一定域の毛髪毎にロット巻き（通常、数十個所のロット巻きの完了までに２０〜３０分要する）し、ロット毎に加熱条件を変えて加熱処理した（通常、２０〜３０分要する）後に、ロットを外し、２剤を塗布し、５〜１０分の放置後、２剤を水で洗い流し、仕上げ、ロット巻きに多くの時間を要する（通常、合計で１２０〜１５０分程度かかる）。
また、本加熱パーマ法は、いわゆる“電髪法”に代表されるが、最大の問題点は、図９に示すように、電源直結のヘアーカーラー、温度に対応する電源部、温風部、そのための電源コード等の大仕掛けな設備の設置が必須であり、経済性の上で大きな負担となっていた。
また、アイロンこてを使用するパーマ処理法も公知である（特許文献４）。いわゆる“アイロンこて法”は、図１０に示すようにアイロン棒２２に、通称“グローブ”と称する毛髪掴み板を組み合わせたもので、アイロン本体部３１と把持部２３を掴んでアイロン棒２２とグローブ１２の間に毛髪を毛先から挟み込んで熱カールしていく方法である。この方法では、毛髪の根元側は毛髪数が多いのに対して、毛先側は毛切れなどで毛が切断されて長さが一定でなく、短い長さの毛も多いために、アイロン本体部２２とグローブ１２で挟み難い短髪毛があり、顧客のヘアースタイルの希望に合わせて短髪毛を長い毛とともに挟み込むには手数がかかるばかりでなく、高度の職人技が必要であり、毛髪全体を仕上げるまでに長時間を要し、毛髪の加熱時間が長くなり、毛先部の熱履歴が重なり、結果的に毛髪の損傷度合いが大きいという問題があった。
【０００４】
【非特許文献１】日本パーマネントウエーブ液工業組合技術委員会編「SCIENCE OF WAVE」第１２４頁〜第１４０頁、第２７１頁〜第２７９頁、新美容出版株式会社、１９９４年４月２０日発行
【特許文献２】特開２００３−１０２５３４号公報
【特許文献３】特開２００５−６５９７５号公報
【特許文献４】特開２００２−３５６４１０号公報
【発明の開示】
【発明が解決しようとする課題】
【０００５】
従来のパーマ処理は、電髪法のような加熱パーマ法あるいはコールドパーマ法は、カール状態を保持するためにヘアーデザインに対応するように多数のロット巻きの煩雑さ、パーマ液浸透のための放置に時間をとられ、パーマ処理の時間の短縮ができなかった。また、アイロンこて法には、特に職人技がないと上手く仕上がらない問題もあった。
そこで、本発明では、アイロン棒と熱伝播補助具としてのクリップの組合せ使用により短時間で、職人技を要することなく、短時間にパーマ処理できる方法を提供することを目的とする。
【課題を解決するための手段】
【０００６】
本発明は、ヘアーアイロンと、熱伝播補助具のクリップを用いるアイロンパーマ方法であって、該ヘアーアイロンは円筒形又は多角形で、且つ温度切換スイッチを設けたハンドルからなり、該クリップは内面片側が熱伝導の良い伝熱板内面対面側が耐熱性弾性体及びそれらを覆う熱絶縁被覆材からなり、該ヘアーアイロンと該クリップ７を使用して毛髪の根元付近からアイロン棒に巻付けて熱カールを行うことを特徴とするものである。
【０００７】
すなわち、本発明は、以下の事項を基本的構成とする。
［１］ヘアーアイロンと熱伝播補助具としてクリップを使用してなるアイロンパーマ方法であって、該ヘアーアイロンはヒーターを内蔵した円筒形又は多角形のアイロン棒と温度切換スイッチを設けたハンドルからなり、該クリップは内面片側が熱伝導の良いクリップ伝熱板、内面対面側が耐熱性弾性体及びそれらを覆う熱絶縁被覆材からなり、該クリップ伝熱板は、一定領域の毛髪を揃え易いよう櫛状に形成してあり、熱伝導の良い金属板から形成されていて、該ヘアーアイロンと該クリップを使用して熱カールを行うことを特徴とするアイロンパーマ方法。
［２］前記ヘアーアイロンを使用し、毛髪の根元付近から一定域の毛髪を揃え、円筒形又は多角形の前記アイロン棒に巻きつけながら該毛髪をクリップで挟み、次いで該毛髪を前記クリップと該アイロン棒の間に挟み込みながら該クリップを回転して該アイロン棒の外周に該毛髪を巻付け、該クリップによる巻き込みを該アイロン棒の先端方向に進め、前記の巻き込み間に該毛髪の熱カールを行い、該処理を必要域の毛髪に繰り返して行うことを特徴とする［１］に記載のアイロンパーマ方法。
［３］前記クリップによる巻き込みは、クリップ外周に設けた開閉摘みを利用したクリップの開閉によることを特徴とする［１］又は［２］のいずれかに記載のアイロンパーマ方法。
［４］前記クリップ外周には、前記開閉摘みに加えて補助開閉摘みを設けたことを特徴とする［１］〜［３］のいずれかに記載のアイロンパーマ方法。
［５］前記クリップは、前記ヘアーアイロンの置台として使用できることを徴とする前記［１］〜［４］のいずれかに記載のアイロンパーマ方法。
［６］前記熱カール処理は、頭部の必要域の毛髪に対して、シャンプー、１剤塗布、放置、水洗中和、アイロン処理、２剤塗布、放置、水洗、仕上げの各処理を施すことを特徴とする［１］〜［５］のいずれかに記載のアイロンパーマ方法。
【発明の効果】
【０００８】
本発明では、従来のコールドパーマ法のようにロット巻き、ロット外しの工程が必要ないので、処理時間が大幅に短縮可能になるとともに、カール処理後に毛髪を乾かしても伸びることがなく、強いウエーブ状態を保つことができる。また、従来の加熱パーマ法、特に電髪法に比して、ロット巻きの必要が無く、加熱時間を大幅に短縮でき、しかも大仕掛けな電髪設備の必要がないので、経済的利点も大きい。
また、従来のアイロンこて法のように、毛髪毛先から巻付け処理するのでなく、毛髪根元からアイロンに巻付けるので、毛髪に与える加熱による損傷度合いも少なく、毛髪巻き込みにともなう職人技も必要なく、短い訓練時間で誰でもが職人技の仕上げが可能になる。
さらに、本発明では、円筒形又は多角形のアイロン棒と熱伝播補助具のクリップを組合せ使用することにより、顧客のオーダーしたヘアーデザインに対応するために煩雑な作業となっていたロット巻き工程が不要となったので、平均的な技量の美容師であれば、誰でもが安定したヘアー処理ができると共に、パーマ処理工程の時間が大幅に短縮でき、しかも加熱パーマ後の毛髪の仕上がりは、乾かした後でも、ふんわりとした強いウエーブを保つことができる。
【発明を実施するための最良の形態】
【０００９】
本発明のアイロンパーマ処理は、毛髪の根元付近から一定域の毛髪を揃え、円筒形又は多角形のアイロン棒２に巻きつけながら該一定域の毛髪を前記クリップ７で挟み、次いで前記クリップ７と該アイロン棒２の間で該一定の毛髪を挟みながら該アイロン棒２に対して熱伝播補助具としてのクリップを回転させ、該クリップの回転をアイロン棒の先端方向に進め、この間に該一定域の毛髪のカール処理をおこなう。
このカール処理の際に、適宜、アイロン棒の先端方向でクリップの回転を休止して、毛髪のカール処理を充分に行うこともできる。
前記本発明の熱カール処理を行うには、予め頭部全域の毛髪に対して、シャンプー、１剤塗布、該１剤液浸透のための放置、水洗の処理を行った後に、前記加熱アイロンを用いたアイロン処理、２剤塗布、放置、水洗、仕上げの各処理を施すことによって、簡便に、迅速にアイロンパーマ処理を行うことができる。
【００１０】
本発明においては、アイロン棒の根元を始端として毛髪の根元付近から毛髪を熱伝播補助具のクリップに挟んで回転させながらアイロン棒の上に巻付けて熱カールさせることが基本である。クリップは、一定域の毛髪を揃え易いように、内側の片側には伝熱板がアイロン棒に添うように屈曲され、さらに複数の刃のある櫛状に形成してあり、熱伝導の良い金属板から形成されているものを使用する。さらに、クリップは、前記ヘアーアイロンの置台として使用できる。
【００１１】
本発明において、１剤としては、毛髪のシステイン結合を還元・切断する還元剤としてのチオグリコール酸（又はその塩類）やシステイン（又はその塩類）もしくはアセチルシステインを有効成分とするものを使用し、２剤としては、還元剤により切断されたシステイン結合を酸化して再結合する酸化剤としての臭素酸カリウム、臭素酸ナトリウム、過酸化水素水、過硼酸ナトリウムを使用する。また、これらに適当な溶解剤、浸透剤、湿潤剤、着色剤、乳化剤、香料等を添加したものの組合せを用いたり、前記以外の１剤や２剤を適宜組み合わせて用いることができるが、いずれの１剤や２剤を用いても、本発明のパーマ方法の本質的な構成に変わりはない。
【００１２】
（実施例）
本発明のアイロンパーマ方法には、図１のヘアーアイロン１と図３のクリップ７の使用が適当である。
具体的には、図１のヘアーアイロン１は、円筒形又は多角形のアイロン棒２とハンドル３から構成されている。また、図３のクリップは、毛髪をアイロン棒に巻付けるときの熱伝播補助具として用いる。アイロン棒２は、円筒状又は多角形状のアルミパイプ（銅パイプにメッキを施しても良い）で、表面は防食加工のアルマイト処理が施してある。該アイロン棒に用いるアルミパイプの中には、発熱体（図示せず）、温度感熱素子（図示せず）、温度過昇防止器（図示せず）及び制御部等（図示せず）が組みこまれている。電源コード６は、椅子等（図示せず）に設置したコンセント（図示せず）に差込みヘアーアイロン１に電気を供給するためのものである。
【００１３】
図２は、前記ハンドル３の一部拡大図で、ハンドル３、電源スイッチ兼用温度切換スイッチ４、アイロン棒−ハンドル中央部２４からなり、適宜の温度は温度表示部５を見ながらスイッチ４で切換える。
図３〜図５に示すクリップ７は、熱伝播補助具として毛髪のカール処理を効率よく行うもので、２つの略半円筒状の片が組み合わさるように開閉自在に形成されている。すなわち、片側の略半円筒状の片は、熱電導の良い銅板等の湾曲金属板１０で形成されており、対面の略半円筒状の片は毛髪を押さえるためのシリコンゴム等の耐熱弾性体でできた押さえ板９を内側に有する熱絶縁材のプラスチック製のクリップカバー８からなっている。
【００１４】
該クリップ７には、毛髪を押さえるために略半円筒状の２片を開閉自在にするために、開閉摘み１１が設けられてある。このクリップ開閉摘み１１は、図５に示すようにクリップを開閉のための軸（図示せず）とコイルスプリング（図示せず）により開閉自在となっている。該開閉摘みは、クリップ７が毛髪を押さえて閉じた状態のときは、図６に示すように角度が略６０度〜９０度程度開いた状態となっている。この角度の範囲に限定はないが、操作性の上、アイロン棒の静置安定性の上からこの程度がよい。クリップが閉じた状態で、本発明のヘアーアイロンを静置するときに、図７に示すように前記クリップの開閉摘み11をスタンド台として利用することができる。また、アイロン時に毛髪を確実に押さえるために、該開閉摘み１１に加えて、さらに補助的に補助開閉摘み１３を設けて利用することも好適である。このときの態様は、図１4（図５の変形例）、図１５（図６の変形例）、図１６(図７の変形例)に示している。
なお、該クリップ外側の湾曲金属板１０の１０’は、以下に説明するように毛髪をアイロン棒２に巻付けやすいように、適宜、外側に折り返ししているが、この折り返し１０’は設けてもよいし、設けなくてもよい。
【００１５】
本発明において、ヘアーアイロン１を使用して加熱ヘアー処理するときには、顧客の希望とおりのヘアースタイルに仕上げるために、図６に示すようにアイロン棒２の手元から先端に向けて、毛髪の根元から一定域の毛髪を揃えて円筒形状のアイロン棒２に巻きつける。このとき、一定域の毛髪をクリップ７で挟みながら、アイロン棒２に対して、クリップカバー８とクリップ押さえ板９からなるクリップ７を回転させながら、アイロン棒２の先端方向に進めるようにしてアイロン棒とクリップに毛髪を挟み込み、この挟み込んだ毛髪のアイロン処理を行う。この際、上述するようにクリップ開閉摘み１１、場合によってはクリップ補助摘み１３を利用する。
【００１６】
本発明では、クリップ７を回転させて毛髪を根元側からアイロン棒２に巻付けるのが基本であるが、施術者の好みに応じて、アイロン棒２の手元側に短い挟み板（図示せず）を設けて、毛髪の巻付の開始からクリップ７の使用前のごくわずかの間ではあるが、毛髪の巻付の補助とすることができる。但し、アイロン棒のこの挟み板が長いと、アイロン棒２への巻付け邪魔になる。
以上のような、巻付け、アイロン処理を頭部のヘアースタイリングに必要な域の毛髪に繰り返して施術する。通常、標準的なヘアースタイリングの場合であれば、十数回程度の繰り返しで終了するが、全体の施術時間は６０〜９０分程度で十分であり、６０分と９０分という施術時間の差は美容師の技量差というよりは、ヘアースタイリング差の方が大きい。
【００１７】
前記クリップ７は、クリップカバーとクリップ押さえ板から構成されるが、図３に示すように一方片が金属板１０からなっているが、上述するように金属板１０は一定域の毛髪を揃え易いよう櫛状を形成しており、アイロン棒２にフィットするように曲線状に熱伝導の良い銅板やアルミニウム板等を使用する。また、他方の片は、曲線状にシリコンゴム等の耐熱性弾性体９を内側に有する。
【００１８】
また、上述するようにクリップ伝熱板の両端の刃のみ一部１０’を外側に向けてはねあげておくことによって毛髪を巻付け揃えやすくすることもできる。
前記クリップ７は、図４に示すようにクリップ開閉摘み１１が形成され、該クリップ開閉摘み１１を机に置くことで、図７に示すようにアイロン棒２の置台として使用できる。アイロン棒２が高温の時は机を焦がすことなく、また、アイロンを加熱して使用中、置台として安全に安定して置くことができる。また、アイロン時に毛髪を確実に押さえるために、該開閉摘み１１に加えて、さらに補助的な補助開閉摘み１３を設けて利用する態様は、図１４〜図１６に示すとおりである。
【００１９】
本発明のヘアーアイロンの処理工程は、図１１に示す通り、シャンプー処理、１剤塗布処理、１０〜２０分程度の放置、水洗処理、２０〜３０分程度の各域毎のアイロン処理、酸化剤のような２剤の塗布処理、放置、水洗処理、仕上げ処理からなる。この処理工程中のヘアーアイロン処理の前後にロット巻き、ロット外しが従来の方法ではあったが、本発明はロット巻き、ロット外しの工程がないため、パーマ処理時間を短縮することができた。
【図面の簡単な説明】
【００２０】
【図１】本発明のヘアーアイロンの外観図である。
【図２】本発明のヘアーアイロンの電源スイッチ兼用温度切換部の拡大図である。
【図３】本発明に用いるクリップの全体斜視図である。
【図４】本発明に用いるクリップ側面の開閉状態を示す図である。
【図５】本発明のクリップとアイロン棒の配置（使用前の状態）を示す図である。
【図６】本発明のヘアーアイロンに毛髪を巻付け、クリップで押さえた図である。
【図７】本発明のヘアーアイロンをクリップを利用して静置した図である。
【図８】従来のコールドパーマのヘアーカーラを取り付けた頭部の図である。
【図９】従来の電髪パーマ法の実施図である。
【図１０】従来のアイロンこて法に用いるグローブ付きヘアーアイロンの図である。
【図１１】本発明の加熱パーマ方法の工程図である。
【図１２】従来のコールドパーマ方法の工程図である。
【図１３】従来の加熱パーマ方法の工程図である。
【図１４】図５の変形例（本発明のクリップとアイロン棒の配置を示す図である）。
【図１５】図６の変形例（本発明のヘアーアイロンに毛髪を巻付け、クリップで押さえた図である）。
【図１６】図７の変形例（本発明のヘアーアイロンをクリップを利用して静置した図である）。
【符号の説明】
【００２１】
１    ヘアーアイロン
１２  グローブ（従来）
２    アイロン棒
２２  アイロン棒（従来）
２３  こて部（従来）
２４  アイロン棒−ハンドル中間部
３    ハンドル
４    電源スイッチ兼用温度切換スイッチ
５  温度表示部
６  電源コード
７  クリップ
８  クリップカバー
９  クリップ押さえ板
１０  クリップ伝熱板
１０’  外側へのめくれ部
１１  クリップ開閉摘み
１２  グローブ（従来）
１３  補助開閉摘み
２２  アイロン棒
２３  把持部
３１  アイロン本体部（従来）
【図１】
0004802065.tif 000002
【図２】
0004802065.tif 000003
【図３】
0004802065.tif 000004
【図４】
0004802065.tif 000005
【図５】
0004802065.tif 000006
【図６】
0004802065.tif 000007
【図７】
0004802065.tif 000008
【図８】
0004802065.tif 000009
【図９】
0004802065.tif 000010
【図１０】
0004802065.tif 000011
【図１１】
0004802065.tif 000012
【図１２】
0004802065.tif 000013
【図１３】
0004802065.tif 000014
【図１４】
0004802065.tif 000015
【図１５】
0004802065.tif 000016
【図１６】
0004802065.tif 000017